(57)【要約】      （修正有）【課題】小物品が載置可能であるとともに、下裏面に吊設されたハンガー部にタオル等を掛止できるハンガー部材を提供する。【解決の手段】テーブル部５を有する被取付体に取り付けられるハンガー部材であって、該、ハンガー部材は、テーブル部５に取り付けられる固定部２と該固定部２から側方に延びて小物品が載置可能な平板状のベース部７〜９と、該ベース部７〜９に設けられて布状部材が掛止されるハンガー部１４とから構成されている。ベース部７〜９は平板状の載置面９と、該載置面９から上方に延びる前板８及び向板７とで断面凹状とされている。【選択図】図１
0003217406.tif 000002
【実用新案登録請求の範囲】
【請求項１】
テーブル部を有する被取付体に取り付けられるハンガー部材であって、該ハンガー部材は、前記テーブル部に取り付けられる固定部と該固定部から側方に延びて小物品が載置可能な平板状のベース部と、該ベース部に設けられて布状部材が掛止されるハンガー部とから構成されていることを特徴とするハンガー部材。
【請求項２】
前記、ベース部は平板状の載置面と、該載置面から上方に延びる前板及び向板とで断面凹状とされていることを特徴とする請求項１記載のハンガー部材。
【請求項３】
前記固定部は上片部と下片部を有する断面がコ字状に形成されており、前記の上片部が前記テーブル部の上面に載置されるとともに前記下片部に前記テーブル部方向に向けて取り付けられたボルト部材で固定されている。
【考案の詳細な説明】
【技術の分野】
【０００１】    本考案は食卓等テーブル部を有する被取付体に取付けられるハンガー部材であって、該ハンガー部材は平板状のベース部を有し、小物品が載置可能であるとともに平板状の載置面の下裏面に吊設されたハンガー部にタオル等を掛止されることを特徴とするハンガー部材に関するものである。
【０００２】    食卓等に着席した時タオルを必要とする場合従来壁やドアー等に設けられていたハンガー迄足を運び、タオルを使用していた。
【０００３】    食事中調味料等の小物品類をテーブル部に載置されるが、食後は他の食器等とともに一緒に片付けられていた。
【考案が解決しょうとする課題】
【０００４】    食卓等に着席している時、タオルを必要とする際、従来は浴室、洗面所、キッチン等の壁やドアーに設けられていたハンガー迄足を運びタオルを使用していた。
【０００５】    食事時必要な調味料等の小物品も食後は使用済食器等とともに一緒に片付けられていた。その分、小物品等の片付けも一手間かかっていた。
【０００６】    ある場合は調味料等の小物品もテーブルに残す場合もあると考えられるが、食後食事以外のテーブル部での作業、読書等を行う場合もあるが、邪魔だったり目障りの場合があった。
【課題を解決するための手段】
【０００７】    テーブル部を有する被取付体に取付けられるハンガー部材であって、該ハンガー部材は前記テーブル部に取付けられる固定部と該固定部から側方に延びて小物品が載置可能な平板状のベース部と該ベース部に吊設される布状部材が掛止されるハンガー部とから構成されていることを特徴とするハンガー部材。
【０００８】    前記ベース部は平板状の載置面と該載置面から上方に延びる前板及び向板とで断面凹状とされていることを特徴とする請求項１記載のハンガー部材。
【０００９】    前記固定部は上片部と下片部を有する断面がコ字状に形成されており、前記の上片部が前記テーブル部の上面に載置されるとともに前記下片部に前記テーブル部方向に向けて取付けられたボルト部材で固定される。
【考案の効果】
【００１０】    食事等テーブル部を有する被取付体に本考案のハンガー部材を設けることにより、食事の際に着席している時タオルの必要性がある場合、従来浴室、洗面所、キッチンの壁やドアー等に設けられているハンガー迄足を運ばなければならなかったのが、テーブル部に着席のまま該テーブル部に設けた本考案のハンガー部材のハンガー部に掛止されてタオルを容易に手が届き、手軽にタオルを使用可能となった。
【００１１】    前記ハンガー部材に小物品載置可能な平板状のベース部を設けたことにより、食後食卓上で使用していた調味料等の小物品を四角状小物品入れ盆にまとめて入れ最短距離のハンガー部材のベース部に載置でき、テーブル部上がスッキリ手軽に片付けが可能となった。
【００１２】    ハンガー部材に小物品が載置されない時も考えられるが食事中、テーブル部に載置された場合や、他の理由で載置されない場合は、小物品の代わりにテーブル部上によく載置されることのあるテッシュ・ボックスをテーブル部材のベース部に載置ができ、テーブル部上に載置されたときと同様手近に手が届き、テーブル部上もスッキリしてくる。
【図面の簡単な説明】
【００１３】
【図１】本考案の実施例を示す、テッシュ・ボックスを載置する斜視図
【図２】本考案の実施例を示す、テッシュ・ボックスを載置する側面断面図
【図３】本考案の実施例を示す、小物入れ盆を設置する斜視図
【図４】本考案の実施例を示す、小物入れ盆を設置する側面断面図
【考案を実施するための形態】
【００１４】    テーブル部に設けたハンガー部材は固定部にて取付けられていて、この固定部から側方に延びて小物品を載置する平板状の載置面から上方に延びる前板及び向板とで断面凹状に形成されている。
【００１５】前期、固定部は上片部と下片部を有する断面がコ字状に形成されており、前期上片部がテーブル部の上面に載置されるとともに前期下片部に前記テーブル部方向に向けて取付けられたボルト部材で固定されている。
【００１６】    前記、ベース部の平板状の載置面にテッシュ・ボックスの載置のみならず、四角状形の小物品入れ盆設置も可能にした。設置するには、小物品入れ盆の底板の左右両端部辺の下方にリブ状下駄歯を設け、ベース部の平板状載置面の両端部辺と嵌合し設置固定される。
【００１７】前記ハンガー部材に設けられているハンガー部は前記ベース部の載置面の下裏面部に吊設され、リング状や棒状で形成されたハンガー部にタオルを掛止できる。
【実施例】
【００１８】    以下、図面に従って説明する。テーブル部５にハンガー部材Ｈを設けた該ハンガー部材Ｈは固定部１、２、３、及びベース部７、８、９、そしてハンガー部１５から構成されている。【００１９】    前記、固定部は前板１、上片部２、下片部３、を有し側面断面がコ字状にて形成され、前記上片部２、が前記テーブル部５、の上面に載置されるとともに前記下片部５、に前記テーブル部５，の方向に向けて取付けられたボルト部材４で固定される。【００２０】    前記ベース部は平面状載置面９、から上方に向けて延びる前板８、及び向板７、等を有し断面凹状に形成され載置面９、は平板状でテッシュ・ボックス６、を載置することができる。【００２１】    又、前記ベース部にテッシュ・ボックスを載置できるだけでなく小物品入れ盆１１、を設け、調味料等を入れて設置することができる。小物品入れ盆１１、をベース部の平面状載置面９、に設置するには、該小物品入れ盆１１、の左右両端部にリブ状下駄歯１３、１３，が設けられ、ベース部の平面状載置面９、の左右両端部１０、１０，と嵌合し、設置固定される。【００２２】    前記ハンガー部１４、はベース部の平面状載置面９、の下裏側に吊設されリング形状やアーム形状等に形成されたハンガー部１４、にタオル１５、を掛止できる。【００２３】テーブル部５、にハンガー部材Ｈ、を設けることにより従来洗面所、浴室、キッチン等の壁やドアーに設けられていたハンガーのタオルを使用するのにワザワザ壁やドアーまで足を運んで、タオルを手に取り使用しなければならなかったが、テーブル部５、に着席したままハンガー部１４、に手が届き容易にタオル１５、を使用することが可能になった。【００２４】    従来テーブル部５、にて食事時使用される調味料等の小物品類（塩、コショウ、香辛料、醤油）爪楊枝等は、食後不要となると他の食器類等と同様片付けられていたが、ハンガー部材Ｈ、に設けられたベース部の平面状載置面９、に載置する小物品入れ盆１１、にまとめ入れ最短距離のハンガー部材Ｈ、に手軽に載置可能となった。又食事時は小物品入れ盆１１、をテーブル部５、の上の任意の場所に移設、載置し、手軽に調味料を使用できる。【００２５】    ハンガー部材Ｈ、に小物品入れ盆を設置しない場合も考えられる。例えば、食事時テーブル部５、の上面に載置される時や、何かの理由で設置しない時は、テーブル上に載置されることのあるテッシュ・ボックス６、を載置でき、テーブル部５、がその分スッキリする。
【符号の説明】
【００２６】              １．前板
２．上片部
３．下片部
４．ボルト部材
５．テーブル部
６．テッシュ・ボックス
７．向板
８．前板
９．平板状載置面
１０．平板状載置面端辺
１１．小物品入れ盆
１２．小物品入れ盆取手部
１３．小物品入れ盆リブ状下駄歯
１４．ハンガー部
１５．タオル
Ｈ  ハンガー部材
【図１】
0003217406.tif 000003
【図２】
0003217406.tif 000004
【図３】
0003217406.tif 000005
【図４】
0003217406.tif 000006
【手続補正書】
【提出日】平成30年4月21日(2018.4.21)
【手続補正１】
【補正対象書類名】実用新案登録請求の範囲
【補正対象項目名】全文
【補正方法】変更
【補正の内容】
【実用新案登録請求の範囲】
【請求項１】
テーブル部を有する被取付体に取り付けられるハンガー部材であって、該、ハンガー部材は、前記テーブル部に取り付けられる固定部と該固定部から側方に延びて小物品が載置可能な平板状のベース部と、該ベース部に設けられて布状部材が掛止されるハンガー部とから構成されていることを特徴とするハンガー部材。
【請求項２】
前記、ベース部は平板状の載置面と、該載置面から上方に延びる前板及び向板とで断面凹状とされていることを特徴とする請求項１記載のハンガー部材。
【請求項３】
前記固定部は上片部と下片部を有する断面がコ字状に形成されており、前記の上片部が前記テーブル部の上面に載置されるとともに前記下片部に前記テーブル部方向に向けて取り付けられたボルト部材で固定されていることを特徴とする請求項１または、２記載のハンガー部材。